(57)【要約】【課題】設定可能な機能の実行要求を受け付ける汎用機能キーを備えるとともに、実行要求を受け付ける機能を、コンテンツの内容に応じて自動的に汎用機能キーに設定することが可能な情報再生装置を提供すること。【解決手段】本発明は、記録媒体１に記録されたコンテンツを再生し、表示手段から表示させる情報再生装置において、情報再生装置の予め定められた各機能の実行要求をそれぞれ受け付ける複数の特定機能キーと、情報再生装置の設定可能な機能の実行要求を受け付ける少なくとも一つの汎用機能キーＡ〜Ｄとを備えている。更に、記録媒体１に予め記録され、汎用機能キーＡ〜Ｄのそれぞれが受け付ける機能を各々定義した機能定義情報に基づいて、汎用機能キーＡ〜Ｄのそれぞれが受け付ける機能を、少なくとも一つの汎用機能キーＡ〜Ｄのうちの対応する汎用機能キーに各々関連付けるＭＰＵ部１２１を備えている。【選択図】      図４
2007172803.tif 000002
【特許請求の範囲】
【請求項１】
記録媒体に記録された再生用情報を再生し、表示手段から表示させる情報再生装置において、
前記情報再生装置の予め定められた各機能の実行要求をそれぞれ受け付ける複数の特定機能キーと、
前記情報再生装置の設定可能な機能の実行要求を受け付ける少なくとも一つの汎用機能キーと、
前記記録媒体に予め記録され、前記汎用機能キーのそれぞれが受け付ける機能を各々定義した機能定義情報に基づいて、前記汎用機能キーのそれぞれが受け付ける機能を、前記少なくとも一つの汎用機能キーのうちの対応する汎用機能キーに各々関連付ける機能関連付け手段と
を備えた情報再生装置。
【請求項２】
請求項１に記載の情報再生装置において、
前記機能関連付け手段によって関連付けられた汎用機能キーとその機能とのセットを含む関連付け情報を記憶する記憶手段と、
前記汎用機能キーのうちの何れかが押下されると、この押下された汎用機能キーに関連付けられている機能を前記記憶手段に記憶されている関連付け情報から把握し、把握した機能の処理を実行する処理実行手段と
を更に備えた情報再生装置。
【請求項３】
予め定められた各機能の実行要求をそれぞれ受け付ける特定機能キーと、設定可能な機能の実行要求を受け付ける少なくとも一つの汎用機能キーとを備えた情報再生装置によって再生される再生用情報と、
前記汎用機能キーのそれぞれが受け付ける機能を各々定義した機能定義情報と
を記録した記録媒体。
【発明の詳細な説明】
【技術分野】
【０００１】
本発明は、例えば、ＤＶＤ等の光ディスクや、ハードディスク等の記録媒体、及びそれに記録された再生用情報を再生する情報再生装置に関する。
【背景技術】
【０００２】
近年、ＤＶＤ等の光ディスクや、ハードディスク等の記録媒体に記録された情報（以下、「コンテンツ」とも称する）を再生する情報再生装置が普及してきている。
【０００３】
従来、この種の情報再生装置では、コンテンツの再生や記録に係る操作や、予約操作や、音量、チャンネル、画質、電源等に係る操作等の実行要求を受け付けるための各種の操作キー（又は「操作ボタン」とも称する）が、本体又はリモートコントローラに設けられている。このように、これら操作キーが受け付ける実行要求は、予め定められており、変更することはできない。つまり、従来の情報再生装置に設けられている操作キーは特定の機能のみを実現するための特定機能キーであるといえる。
【０００４】
一方、データ放送を受信するデータ放送受信装置の場合、このような特定機能キーのみならず、受け付ける実行要求の機能を都度変更することが可能な、いわゆる汎用機能キーも設けられている。そして、特開２００４−１９４１２６（特許文献１）では、データ放送を受信することにより得られるユーザインタフェース情報から、動作が有効な操作の機能を解析し、その解析結果に基づいて、汎用機能キーが受け付ける実行要求の機能が設定されるとともに、設定された機能の内容が報知されるデータ放送受信装置が開示されている。
【０００５】
これによってデータ放送受信装置は、全体としてのユーザインタフェースの一貫性がないデータ放送であっても、汎用機能キーに対して番組及び受信画面別に違った機能が割り付けられる。
【特許文献１】特開２００４−１９４１２６号公報
【発明の開示】
【発明が解決しようとする課題】
【０００６】
このような汎用機能キーは、情報再生装置にも望まれるものである。特に、ＨＤ  ＤＶＤのような大容量の光ディスクが普及してくると、従来にはなかったようなコンテンツが提供されることが予想される。例えば、映画コンテンツでありながら、あるシーンまでの映像が再生されると、ストーリの分岐点に辿り着き、そこから先は、視聴者が何れかのストーリの再生を選択できるというシミュレーションゲーム的な要素を含んだコンテンツが考えられる。また、クイズの回答内容や、ゲームの攻略方法に応じた映像が再生されるようなコンテンツも考えられる。
【０００７】
このようなコンテンツを再生した場合であっても、ユーザがコンテンツを快適に操作できる環境を提供するためには、特定機能キーだけでは対処しきれなくなることは容易に想像がつく。将来的にどのようなコンテンツが提供されるようになるのかを予想するのは容易ではないので、そのような将来的なコンテンツに対する操作性までを考慮し、想定される全ての特定機能キーを配置しても合理的ではないし、そんなことをしていてはキーの数が増えてしまい、装置本体及びリモートコントローラの複雑化、大型化、及び設計の自由度の低下を招くのみならず、ユーザに対しても操作上の複雑さをもたらしてしまうからである。
【０００８】
更に、情報再生装置は、ユーザに対して、より快適な操作環境を提供するためには、このような汎用機能キーを備えているのみならず、コンテンツの内容に応じて、適切な機能を自動的に汎用機能キーに設定できることが望ましい。
【０００９】
本発明はこのような事情に鑑みてなされたものであり、その第一の目的は、設定可能な機能の実行要求を受け付ける汎用機能キーを備えるとともに、実行要求を受け付ける機能を、コンテンツの内容に応じて自動的に汎用機能キーに設定することが可能な情報再生装置を提供することにある。
【００１０】
また、その第二の目的は、情報再生装置によって再生される再生用情報に加えて、情報再生装置の汎用機能キーが受け付ける機能を定義した機能定義情報を記録した記録媒体を提供することにある。
【課題を解決するための手段】
【００１１】
上記の目的を達成するために、本発明では、以下のような手段を講じる。
【００１２】
すなわち、請求項１の発明は、記録媒体に記録された再生用情報を再生し、表示手段から表示させる情報再生装置であって、複数の特定機能キーと、少なくとも一つの汎用機能キーと、機能関連付け手段とを備えている。複数の特定機能キーは、情報再生装置の予め定められた各機能の実行要求をそれぞれ受け付ける。少なくとも一つの汎用機能キーは、情報再生装置の設定可能な機能の実行要求を受け付ける。機能関連付け手段は、記録媒体に予め記録され、汎用機能キーのそれぞれが受け付ける機能を各々定義した機能定義情報に基づいて、汎用機能キーのそれぞれが受け付ける機能を、少なくとも一つの汎用機能キーのうちの対応する汎用機能キーに各々関連付ける。
【００１３】
従って、請求項１の発明の情報再生装置においては、以上のような手段を講じることにより、設定可能な機能の実行要求を受け付ける汎用機能キーを備えるとともに、実行要求を受け付ける機能を、記録媒体に記録された機能定義情報に基づいて汎用機能キーに設定することが可能となる。
【００１４】
請求項２の発明は、請求項１に記載の情報再生装置において、機能関連付け手段によって関連付けられた汎用機能キーとその機能とのセットを含む関連付け情報を記憶する記憶手段と、汎用機能キーのうちの何れかが押下されると、この押下された汎用機能キーに関連付けられている機能を記憶手段に記憶されている関連付け情報から把握し、把握した機能の処理を実行する処理実行手段とを更に備える。
【００１５】
従って、請求項２の発明の情報再生装置においては、以上のような手段を講じることにより、汎用機能キーが押下された場合には、この汎用機能キーに関連付けられている機能の処理を実行することができる。
【００１６】
請求項３の発明は、予め定められた各機能の実行要求をそれぞれ受け付ける特定機能キーと、設定可能な機能の実行要求を受け付ける少なくとも一つの汎用機能キーとを備えた情報再生装置によって再生される再生用情報を記録した記録媒体である。そして、この記録媒体は、更に、汎用機能キーのそれぞれが受け付ける機能を各々定義した機能定義情報を記録している。
【００１７】
従って、請求項３の発明の記録媒体においては、以上のような手段を講じることにより、機能定義情報に従って、情報再生装置に備えられた汎用機能キーのそれぞれが受ける機能を、対応する汎用機能キーに設定することが可能となる。
【発明の効果】
【００１８】
本発明によれば、設定可能な機能の実行要求を受け付ける汎用機能キーを備えるとともに、実行要求を受け付ける機能を、コンテンツの内容に応じて自動的に汎用機能キーに設定することが可能な情報再生装置を実現することができる。
【００１９】
また、情報再生装置によって再生される再生用情報に加えて、情報再生装置の汎用機能キーが受け付ける機能を定義した機能定義情報を記録した記録媒体を実現することができる。
【発明を実施するための最良の形態】
【００２０】
以下に、本発明を実施するための最良の形態について図面を参照しながら説明する。
【００２１】
図１は、本発明の実施の形態に係る情報再生装置の構成例を示す機能ブロック図である。
【００２２】
すなわち、同実施の形態に係る情報再生装置は、例えばＨＤ  ＤＶＤ等の光ディスクや、ハードディスク等の記録媒体１に記録されたコンテンツを再生し、ディスプレイ装置から表示させる装置である。ディスクドライブ部１０１でこの記録媒体１からＨＤのＤＶＤビデオコンテンツを再生し、データプロセッサ部１０２へ転送する。図２に示すように、ＨＤのＤＶＤビデオコンテンツの中で映像データであるビデオオブジェクト（ＶＯＢ）ａ１の中は基本単位であるビデオオブジェクトユニット（ＶＯＢＵ）ａ２の集まりで構成され、各ＶＯＢＵ  ａ２内の先頭にはナビパックａ３が配置されている。また、ビデオデータはビデオパックａ４、オーディオデータはオーディオパックａ６、副映像データはサブピクチャ（ＳＰ）パックａ７内にそれぞれ分散配置され、多重化構造になっている。また、同実施の形態では新たにグラフィックユニットデータを持ち、グラフィックユニット（ＧＵ）パックａ５内に分散記録される。これらの各種データが多重配置されたＶＯＢ  ａ１に対して分離部（デマルチプレクサ）１０３でパケット分割し、ビデオパックａ４内に記録されたビデオデータをビデオデコード部１１１へ送り、サブピクチャパックａ７内に記録された副映像データを副映像デコーダ部１１２、グラフィックユニットパックａ５内に記録されたグラフィックデータをグラフィックデコーダ部１１３、オーディオパックａ６内に記録されたオーディオデータをオーディオデコーダ部１１４にそれぞれ転送する。送られて来た各種データは各デコーダ部１１１〜１１４でデコードされ、ビデオプロセッサ部１０４内で合成された後、Ｄ／Ａ変換器１３２、１３３でアナログ信号に変換されて出力される。これらの一連の処理をＭＰＵ部１２１が統合的に管理し、処理中に一時保存が必要になったデータに対してはメモリ部１２２に一時格納される。また、ＭＰＵ部１２１で処理する処理プログラムや事前に設定された固定情報がＲＯＭ部１２３内に記録されている。
【００２３】
図１ではユーザから情報再生装置に対して入力される情報は、情報再生装置本体に設けられたキー入力部１３１でのキー入力で行うように図示してあるが、キー入力部１３１は、情報再生装置本体に設けられるのに限らず、情報再生装置を遠隔から操作するためのリモートコントローラに設けられていても良い。
【００２４】
図３は、汎用機能キーＡ，Ｂ，Ｃ，Ｄが設けられた本発明の実施の形態に係る情報再生装置のリモートコントローラ１４０の一例を示す外形図である。図３に示すリモートコントローラ１４０は、情報再生装置の予め定められた各機能の実行要求をそれぞれ受け付ける複数の特定機能キー（例えば、再生ボタン、停止ボタン、早送りボタン、巻き戻しボタン、番号ボタン、決定ボタン、チャンネルボタン、音量ボタン等）と、情報再生装置の設定可能な機能の実行要求を受け付ける４つの汎用機能キーＡ，Ｂ，Ｃ，Ｄとを備えている。このような汎用機能キーは、リモートコントローラ１４０に代えてキー入力部１３１に備えていても良い。また、リモートコントローラ１４０とキー入力部１３１との両方に備えていても良い。なお、汎用機能キーの数は、当然のことながら４つに限定されるものではなく、それよりも多い場合も、また少ない場合もありうる。
【００２５】
図４は、ＭＰＵ部１２１の構成例を示す機能ブロック図である。
【００２６】
ＭＰＵ部１２１は、同実施の形態を特徴付ける構成要素として、データ解析部１２１ａと、汎用機能キー記憶部１２１ｂと、汎用機能キー入力受付部１２１ｃと、汎用機能キー入力解析部１２１ｄと、動作／音声情報作成部１２１ｅとを備えている。
【００２７】
また、本発明の実施の形態では、記録媒体１は、コンテンツの他に、汎用機能キーのそれぞれが受け付ける機能を各々定義した機能定義情報を記録している。
【００２８】
前述したディスクドライブ部１０１は、記録媒体１が挿入されると、記録媒体１に記録された機能定義情報を、データプロセッサ部１０２を介してＭＰＵ部１２１に出力する。
【００２９】
ＭＰＵ部１２１のデータ解析部１２１ａは、このようにしてディスクドライブ部１０１からデータプロセッサ部１０２を介して出力された機能定義情報を取得する。そして、この機能定義情報に基づいて、各汎用機能キーが受け付ける機能を、対応する汎用機能キーに各々関連付ける。そして、このように関連付けられた汎用機能キーとその機能とのセットを含む関連付け情報を汎用機能キー記憶部１２１ｂに記憶させる。図５は、関連付け情報のデータ構成例を示す図である。
【００３０】
図５に示す例は、記録媒体１に、再生用情報としてＳＦアドベンチャー映画が記録されており、この映画が空中戦闘シーンになったとき、視聴者が操作する戦闘機を映像内に組み入れることができるようなコンテンツに対応する機能を示している。この場合、汎用機能キーＡは、戦闘機を右方向に移動する機能を受け付けるキーとして、汎用機能キーＢは、左方向に移動する機能を受け付けるキーとして、汎用機能キーＣは、上昇させる機能を受け付けるキーとして、汎用機能キーＤは、下降させる機能を受け付けるキーとして、それぞれ関連付けられていることを示している。もちろん、汎用機能キーが受け付ける機能はこの例に限定されるものではなく、他の例も種々考えられることは言うまでもない。
【００３１】
汎用機能キー入力受付部１２１ｃは、ユーザによって汎用機能キーが押下されると、汎用機能キーから出力される押下信号を受け付ける。この押下信号は、汎用機能キーを識別する識別情報を含んでいる。汎用機能キー入力受付部１２１ｃは、このようにして受け付けた押下信号を、汎用機能キー入力解析部１２１ｄに出力する。
【００３２】
汎用機能キー入力解析部１２１ｄは、汎用機能キー入力受付部１２１ｃから出力された押下信号に含まれる識別情報から、どの汎用機能キーが押下されたのかを判定する。そして、判定した汎用機能キーに関連付けられた機能を、汎用機能キー記憶部１２１ｂに記憶されている例えば図５に示すような関連付け情報から把握する。そして、把握結果を動作／音声情報作成部１２１ｅに出力する。例えば、汎用機能キー入力解析部１２１ｄは、汎用機能キー入力受付部１２１ｃから出力された押下信号に含まれる識別情報が、汎用機能キーＡを示すものであれば、汎用機能キーＡが押下されたと判定する。そして、汎用機能キーＡに関連付けられた機能を、関連付け情報から把握する。例えば図５に示すような関連付け情報の場合、右方向へ移動する機能であることを把握する。
【００３３】
動作／音声情報作成部１２１ｅは、汎用機能キー入力解析部１２１ｄから出力された把握結果に対応する動作情報及び／又は音声情報を作成し、動作情報をビデオプロセッサ部１０４に、音声情報をオーディオデコーダ部１１４に出力する。
【００３４】
ビデオプロセッサ部１０４は、動作／音声情報作成部１２１ｅから動作情報を受けると、この動作情報に従った映像をＤ／Ａ変換器１３２を介して出力する。また、オーディオデコーダ部１１４は、動作／音声情報作成部１２１ｅから音声情報を受けると、この音声情報に従った音声をＤ／Ａ変換器１３３を介して出力する。
【００３５】
次に、以上のように構成した同実施の形態に係る情報再生装置の汎用機能キーに関連する処理の一例について図６に示すフローチャートを用いて説明する。
【００３６】
まず、ユーザが、情報再生装置のディスクドライブ部１０１に記録媒体１を挿入すると、ディスクドライブ部１０１によって、記録媒体１に記録された機能定義情報が取得され、データプロセッサ部１０２を介してＭＰＵ部１２１に出力される（ステップＳ１）。
【００３７】
このようにしてディスクドライブ部１０１からデータプロセッサ部１０２を介して出力された機能定義情報は、ＭＰＵ部１２１のデータ解析部１２１ａによって取得される。そして、データ解析部１２１ａでは、この機能定義情報に基づいて、各汎用機能キーが受け付ける機能が、対応する汎用機能キーに各々関連付けられる（ステップＳ２）。
【００３８】
このように関連付けられた汎用機能キーとその機能とのセットを含む関連付け情報は、データ解析部１２１ａによって汎用機能キー記憶部１２１ｂに書き込まれる（ステップＳ３）。図５は、関連付け情報のデータ構成例を示す図である。
【００３９】
そして、ユーザによって汎用機能キーが押下される（ステップＳ４：Ｙｅｓ）と、該汎用機能キーから押下信号が出力され、汎用機能キー入力受付部１２１ｃによって受け取られる（ステップＳ５）。この押下信号には、汎用機能キーを識別する識別情報が含まれている。押下信号は、汎用機能キー入力受付部１２１ｃから、汎用機能キー入力解析部１２１ｄに出力される。
【００４０】
汎用機能キー入力解析部１２１ｄでは、汎用機能キー入力受付部１２１ｃから出力された押下信号に含まれる識別情報から、どの汎用機能キーが押下されたのかが判定される（ステップＳ６）。そして、判定した汎用機能キーに関連付けられた機能が、汎用機能キー記憶部１２１ｂに記憶されている例えば図５に示すような関連付け情報から把握される（ステップＳ７）。この把握結果は、汎用機能キー入力解析部１２１ｄから動作／音声情報作成部１２１ｅに出力される。
【００４１】
例えば、ステップＳ６では、汎用機能キー入力解析部１２１ｄによって、汎用機能キー入力受付部１２１ｃから出力された押下信号に含まれる識別情報が、汎用機能キーＡを示すものであれば、汎用機能キーＡが押下されたと判定される。そして、汎用機能キーＡに関連付けられた機能が、関連付け情報から把握される。
【００４２】
動作／音声情報作成部１２１ｅでは、把握された機能に対応する動作情報及び／又は音声情報が作成され、動作情報がビデオプロセッサ部１０４に、音声情報がオーディオデコーダ部１１４にそれぞれ出力される（ステップＳ８）。
【００４３】
ビデオプロセッサ部１０４では、動作／音声情報作成部１２１ｅから動作情報が出力されると、この動作情報に従った映像が、ビデオプロセッサ部１０４から、Ｄ／Ａ変換器１３２を介して出力される。また、オーディオデコーダ部１１４では、動作／音声情報作成部１２１ｅから音声情報が出力されると、この音声情報に従った音声が、Ｄ／Ａ変換器１３３を介して出力される。これによって、押下した汎用機能キーに関連付けられた機能が実現される（ステップＳ９）。
【００４４】
上述したように、本発明の実施の形態に係る記録媒体においては、上記のような作用により、情報再生装置によって再生されるコンテンツに加えて、情報再生装置の汎用機能キーが受け付ける機能を定義した機能定義情報を記録することができる。この機能定義情報に従って、情報再生装置に備えられた汎用機能キーのそれぞれが受ける機能が、対応する汎用機能キーに設定される。
【００４５】
一方、本発明の実施の形態に係る情報再生装置は、設定可能な機能の実行要求を受け付ける汎用機能キーを備えるとともに、実行要求を受け付ける機能を、記録媒体に記録された機能定義情報に基づいて汎用機能キーに設定することが可能となる。そして、汎用機能キーが押下された場合には、この汎用機能キーに関連付けられている機能の処理を実行することができる。これにより、コンテンツ制作側は、より自由度の高いコンテンツを提供することが可能となる（特に、ゲームに関しては、アミューズメント性の高いコンテンツを提供できるようになる）のみならず、ユーザ側に対しても、より快適な操作環境を提供することが可能となる。
【００４６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００４７】
【図１】本発明の実施の形態に係る情報再生装置の構成例を示す機能ブロック図。
【図２】ビデオオブジェクト内のグラフィックユニットＧＵの配置図。
【図３】汎用機能キーが設けられた本発明の実施の形態に係る情報再生装置のリモートコントローラの一例を示す外形図。
【図４】ＭＰＵ部の構成例を示す機能ブロック図。
【図５】関連付け情報のデータ構成例を示す図。
【図６】同実施の形態に係る情報再生装置の汎用機能キーに関連する処理の一例を示すフローチャート。
【符号の説明】
【００４８】
ａ１…ビデオオブジェクト、ａ２…ビデオオブジェクトユニット、ａ３…ナビパック、ａ４…ビデオパック、ａ５…グラフィックユニットパック、ａ６…オーディオパック、ａ７…サブピクチャパック、Ａ，Ｂ，Ｃ，Ｄ…汎用機能キー、１…記録媒体、１０１…ディスクドライブ部、１０２…データプロセッサ部、１０３…分離部、１０４…ビデオプロセッサ部、１１１…ビデオデコード部、１１２…副映像デコーダ部、１１３…グラフィックデコーダ部、１１４…オーディオデコーダ部、１２１…ＭＰＵ部、１２１ａ…データ解析部、１２１ｂ…汎用機能キー記憶部、１２１ｃ…汎用機能キー入力受付部、１２１ｄ…汎用機能キー入力解析部、１２１ｅ…音声情報作成部、１２２…メモリ部、１２３…ＲＯＭ部、１３１…キー入力部、１３２，１３３…Ｄ／Ａ変換器、１４０…リモートコントローラ
【図１】
2007172803.tif 000003
【図２】
2007172803.tif 000004
【図３】
2007172803.tif 000005
【図４】
2007172803.tif 000006
【図５】
2007172803.tif 000007
【図６】
2007172803.tif 000008